(57)【要約】【課題】  低いランニングコストにて良好に融雪を行う。【解決手段】  貯水漕２３の水をポンプ３１によって揚水して高架橋１上に積もった雪へ散水して溶かす散水手段を設ける。散水した水及び雪解け水を高架橋１から落水させ、その落水のエネルギーによって発電する水力発電装置１１を設ける。散水する貯水漕２３の水を加熱するヒータ２５を設け、水力発電装置１１にて発電された電力をヒータ２５に供給して発熱させる。水力発電装置１１にて発電された電力をポンプ３１へ供給して駆動させる。高架橋１上の雪を溶かす融雪ヒータ３５を設け、水力発電装置１１にて発電された電力を融雪ヒータ３５へ供給して発熱させる。【選択図】      図１
2006112058.tif 000002
【特許請求の範囲】
【請求項１】
高架橋上に積もった雪へ水を散水して溶かす散水手段と、該散水手段にて散水された水及び前記散水手段によって溶かされた雪解け水を前記高架橋から下方へ流す流路と、該流路中を流れる水の運動エネルギーによって発電する水力発電手段とを備えたことを特徴とする融雪設備。
【請求項２】
前記散水手段は、散水する水を加熱するヒータを備え、該ヒータは、前記水力発電手段にて発電された電力が供給されて発熱することを特徴とする請求項１に記載の融雪設備。
【請求項３】
前記散水手段は、散水する水を前記高架橋上へ揚水するポンプを備え、該ポンプは、前記水力発電手段にて発電された電力が供給されて駆動することを特徴とする請求項１または請求項２に記載の融雪設備。
【請求項４】
前記高架橋には、雪を溶かす融雪ヒータが設けられ、該融雪ヒータは、前記水力発電手段にて発電された電力が供給されて発熱することを特徴とする請求項１〜３のいずれか１項に記載の融雪設備。
【発明の詳細な説明】
【技術分野】
【０００１】
本発明は、例えば、鉄道車両が走行する高架橋に設置される融雪設備に関する。
【背景技術】
【０００２】
降雪地域においては、鉄道の高架橋に降り積もった雪を除雪して安全に車両を走行させる必要がある。このため、以前より、軌道には、降り積もった雪を溶かして排水する融雪設備が設置されている。
【０００３】
この種の融雪設備としては、例えば、レールに沿って敷設された温水マットへ、ボイラによって加熱した温水を供給して循環させることにより、レールに付着した雪を溶かすものなどが知られている（例えば、特許文献１参照）。
【特許文献１】特開平１０−１７６３０２号公報
【発明の開示】
【発明が解決しようとする課題】
【０００４】
ところで、上記のような融雪設備では、常に水をボイラで加熱して温水を作りださなければならず、燃料費が嵩み、ランニングコストが高いという問題があった。このため、熱源にかかる燃料費などが極力抑えられたランニングコストの低い融雪設備が要望されているのが現状である。
【０００５】
この発明は、上記事情に鑑みてなされたもので、低いランニングコストにて良好に融雪を行うことができる経済的な融雪設備を提供することを目的としている。
【課題を解決するための手段】
【０００６】
上記目的を達成するために、本発明の融雪設備は、高架橋上に積もった雪へ水を散水して溶かす散水手段と、該散水手段にて散水された水及び前記散水手段によって溶かされた雪解け水を前記高架橋から落水させ、その落水のエネルギーによって発電する水力発電手段とを備えたことを特徴とする。
このように、高架橋上からの落水のエネルギーによって発電するので、この発電した電力を融雪のために有効に用いることにより、低いランニングコストにて良好に融雪を行うことができ、極めて経済的である。
【０００７】
また、本発明は、前記散水手段が、散水する水を加熱するヒータを備え、該ヒータは、前記水力発電手段にて発電された電力が供給されて発熱することを特徴とする。
このように、発電した電力によってヒータを発熱させることにより、散水する水を加熱して良好に融雪を行うことができる。
【０００８】
さらに、本発明は、前記散水手段が、散水する水を前記高架橋上へ揚水するポンプを備え、該ポンプは、前記水力発電手段にて発電された電力が供給されて駆動することを特徴とする。
このように、発電した電力によってポンプを駆動させることにより、高架橋上に散水する水を揚水して良好に融雪を行うことができる。
【０００９】
また、本発明は、前記高架橋に、雪を溶かす融雪ヒータが設けられ、該融雪ヒータは、前記水力発電手段にて発電された電力が供給されて発熱することを特徴とする。
このように、発電した電力によって融雪ヒータを発熱させることにより、高架橋上の雪をさらに良好に溶かすことができる。
【発明の効果】
【００１０】
本発明の融雪設備によれば、高架橋上からの落水のエネルギーによって発電するので、この発電した電力を融雪のために有効に用いることにより、低いランニングコストにて良好に融雪を行うことができ、極めて経済的である。
【発明を実施するための最良の形態】
【００１１】
以下、本発明の融雪設備の実施形態について、図面を参照して説明する。
図１は、本実施形態に係る融雪設備の構成を説明する概略構成図である。
図に示すように、本実施形態の融雪設備が設置された高架橋１は、床版２を橋脚３によって高位置に支持したもので、床版２には、レール４が敷設されている。そして、このレール４上を鉄道車両５が走行するようになっている。
【００１２】
上記高架橋１に設置された融雪設備は、水力発電装置１１を備えている。この水力発電装置１１は、水車１２と、この水車１２に回転軸１３が連結された発電機１４とを有している。
【００１３】
この水力発電装置１１の水車１２には、水圧管１５が接続されている。この水圧管１５は、高架橋１の床版２に接続されて鉛直に配置されており、床版２に形成された排水孔１６と連通されている。床版２の上面は、排水孔１６へ向かって下方へ傾斜する傾斜面とされており、床版２の上面に溜まった水が排水孔１６へ導かれる。
【００１４】
また、水力発電装置１１の水車１２は、その中心における下部に、吸出管１７が接続されている。この吸出管１７は、その途中で供給管２１と排水管２２とに分岐されており、供給管２１が貯水槽２３に導かれ、排水管２２が、図示しない排水用の側溝に導かれている。
【００１５】
貯水漕２３は、ボイラ２４を備えており、このボイラ２４は、貯水槽２３内に貯留されている水を加熱する。また、貯水漕２３には、ヒータ２５が設けられており、このヒータ２５によっても内部の水が加熱される。
【００１６】
また、貯水漕２３には、ポンプ３１に接続された吸込管３２が配設されており、貯水漕２３内の水がポンプ３１によって吸い上げられるようになっている。ポンプ３１には、吐出管３３が接続され、吸い上げられた貯水漕２３の水が吐出管３３に送り込まれる。
【００１７】
この吐出管３３は、高架橋１の床版２上にて、レール４に沿って配設された散水管３４に接続されており、吐出管３３に送り込まれた水が散水管３４に供給される。
【００１８】
散水管３４には、長手方向に間隔をあけて複数の散水口３４ａが設けられており、これら散水口３４ａからレール４へ向かって水が散水される。
また、高架橋１の床版２上には、レール４及びその周辺を加熱する融雪ヒータ３５が配設されており、この融雪ヒータ３５には、水力発電装置１１の発電機１４にて発電された電力が供給されるようになっている。
【００１９】
また、水力発電装置１１の発電機１４にて発電された電力は、ポンプ３１及びヒータ２５にも供給されるようになっている。
【００２０】
次に、上記融雪設備を備えた高架橋１において、降り積もった雪を融雪する場合について説明する。
高架橋１に積もった雪を溶かすには、まず、ボイラ２４によって予め加熱した貯水槽２３内の温水を、図示しない電源にてポンプ３１を駆動させることにより散水管３４へ送り込む。
【００２１】
このようにすると、散水管３４の各散水口３４ａから温水が散水され、レール４の周辺の雪が溶かされる。
そして、この散水管３４の散水口３４ａから散水された水は、雪解け水とともに床版２の上面を流れて排水孔１６へ導かれ、水圧管１５を通って水力発電装置１１の水車１２へ導かれる。これにより、水車１２は、水圧管１５から送り込まれる水によって回転し、発電機１４の回転軸１３を回転させ、発電させる。
【００２２】
そして、発電機１４にて発電された電力は、融雪ヒータ３５へ供給される。これにより、融雪ヒータ３５が加熱し、レール４及びその周辺が暖められ、雪が溶かされる。
また、発電機１４にて発電された電力は、ポンプ３１にも供給され、ポンプ３１の駆動電力として用いられる。さらに、発電機１４にて発電された電力は、ヒータ２５にも供給され、ヒータ２５によって貯水漕２３内の水が加熱される。
【００２３】
このように、上記実施形態の融雪設備によれば、高架橋１上からの落水のエネルギーによって発電する水力発電装置１１を設けたので、この発電した電力を融雪のために有効に用いることにより、低いランニングコストにて良好に融雪を行うことができ、極めて経済的である。
【００２４】
つまり、発電した電力によってヒータ２５を発熱させて散水する水を加熱することにより、ボイラ２４における燃料費を大幅に削減することができる。また、発電した電力をポンプ３１へ供給して駆動させることにより、高架橋１上に散水する水を揚水して良好に融雪を行うこともできる。
さらには、発電した電力によって融雪ヒータ３５を発熱させることにより、高架橋１上の雪をさらに良好に溶かすことができる。
【図面の簡単な説明】
【００２５】
【図１】本発明の本実施形態に係る融雪設備の構成を説明する概略構成図である。
【符号の説明】
【００２６】
１  高架橋
１１  水力発電装置（水力発電手段）
２５  ヒータ
３１  ポンプ
３４  散水管（散水手段）
３５  融雪ヒータ
【図１】
2006112058.tif 000003